(57)【要約】【課題】工具本体との隙間を狭くすることができる電池パックを提供する。【解決手段】工具本体に対してスライドして着脱される収容ケース２５を有する電池パックであって、収容ケース２５はカバー２７を有し、カバー２７に操作部３８が取り付けられており、工具本体の装着部に設けたガイドレール１９と、収容ケース２５とを、互いに近づける向きの力を作用させる弾性体４８が、収容ケース２５に設けられている。また、操作部３８は、ガイドレール１９の突起６９に係合する爪部４２を有し、壁部３５が突起６９に押し付けられる。【選択図】図５
2014216284.tif 000002
【特許請求の範囲】
【請求項１】
電気機器に対してスライドして着脱される収容ケースを有する電池パックであって、
前記電気機器に設けられた装着部と前記収容ケースとを、互いに近づける向きの力を作用させる付勢部材を有する、電池パック。
【請求項２】
電気機器に対してスライドして着脱される収容ケースを有する電池パックであって、
前記電気機器に設けられた装着部に前記収容ケースが装着された状態において、前記装着部と前記収容ケースとを互いに近づける向きの力を作用させる付勢部材が設けられている、電池パック。
【請求項３】
前記装着部に係合する爪部と、前記爪部を操作する操作部とを備えたラッチ機構が、前記収容ケースに設けられており、
前記付勢部材は、前記収容ケースと前記ラッチ機構との間に配置されている、請求項１または２に記載の電池パック。
【請求項４】
電池セルを収容する収容ケースを有し、かつ、電気機器に着脱される電池パックであって、
前記電気機器に設けられた装着部に係合する爪部と、前記爪部を操作する操作部とを備えたラッチ機構が、前記収容ケースに設けられており、
前記装着部に前記収容ケースが装着された状態において、前記装着部と前記収容ケースとを互いに近づける向きの力を作用させる付勢部材が設けられている、電池パック。
【請求項５】
電池セルを収容する収容ケースを有し、かつ、電気機器に着脱される電池パックであって、
前記電気機器に設けられた装着部に係合する爪部と、前記爪部を操作する操作部とを備えたラッチ機構が、前記収容ケースに設けられており、
前記装着部に前記収容ケースが装着された状態において、
前記ラッチ機構を前記装着部から離れる向きで付勢する付勢部材が設けられている、電池パック。
【請求項６】
前記装着部に設けられた第１ガイド部に案内される第２ガイド部が、前記収容ケースに設けられており、
前記爪部は、前記装着部に設けられた突起に係合し、
前記付勢部材は、前記第２ガイド部に沿った向きに前記ラッチ機構を付勢する、請求項４または５に記載の電池パック。
【請求項７】
請求項１〜４のいずれか１項に記載された電池パックと、前記電池パックが着脱される電気機器と、を有する電気装置。
【請求項８】
電池セルを収容する電池パックであって、
前記電池セルを収容し、かつ、電気機器に着脱される収容ケースと、
前記収容ケース内に設けられ、かつ、前記収容ケースを前記電気機器に取り付ける向きで前記電気機器に押し付ける付勢部材と、
を有する、電池パック。
【請求項９】
前記付勢部材は弾性体である、請求項８に記載の電池パック。
【請求項１０】
前記電気機器に設けた突起に係合されて前記電池パックが前記電気機器に取り付けられた状態を保つ爪部が、前記収容ケースに設けられており、
前記付勢部材は、前記収容ケースを前記突起に押し付ける、請求項８または９に記載の電池パック。
【請求項１１】
前記収容ケースを前記電気機器に取り付ける向きに対して交差する方向に延ばされた傾斜面が、前記収容ケースに設けられており、
前記付勢部材は、前記傾斜面を前記電気機器に押し付ける、請求項８または９に記載の電池パック。
【請求項１２】
前記爪部と前記突起との係合を解除する操作部が、前記収容ケースに設けられており、
前記爪部は、前記操作部に設けられている、請求項１０に記載の電池パック。
【請求項１３】
前記収容ケースに設けられ、かつ、前記電気機器に対する前記収容ケースの移動方向を定めるガイド機構を有する、請求項８〜１２のいずれか１項に記載の電池パック。
【請求項１４】
請求項８〜１３のいずれか１項に記載の電池パックと、
前記電池パックが着脱される電気機器と、
を有する、電気装置。
【請求項１５】
前記電池パックに設けられた電池側端子と、
前記電気機器に設けられ、かつ、前記電池パックが前記電気機器に取り付けられると前記電池側端子と接続される機器側端子と、
を有する、請求項１４に記載の電気装置。
【発明の詳細な説明】
【技術分野】
【０００１】
本発明は、電池セルを収容した電池パック、電池パック及び電気機器を有する電気装置に関する。
【背景技術】
【０００２】
従来、電池パックと、電池パックが着脱される電気機器とを有する電気装置が知られており、その電気装置の一例が特許文献１に記載されている。特許文献１に記載された電気装置は、合成樹脂製の電気機器と、電気機器の下端に形成された装着部と、装着部に取り付け及び取り外しされる電池パックと、を有する。装着部には、機器側端子、一対のガイドレール、凹部が設けられており、一対のガイドレールの間にコイルバネが設けられている。コイルバネは、一対のガイドレールの長手方向に伸縮する弾性体である。電池パックには、電池側端子、一対のスライドレール、フックが設けられている。フックには爪及び操作部が設けられている。
【０００３】
電池パックを装着部に取り付ける場合は、一対のガイドレールと一対のスライドレールとを係合させ、電池パックを一対のガイドレールに沿って移動させて装着部に近づける。すると、爪が装着部に接触して没入するとともに、電池パックがコイルバネに接触してコイルバネが圧縮される。そして、所定位置で電池パックが停止すると、爪が凹部に係合される。このようにして、電池パックが装着部に取り付けられると、機器側端子と電池側端子とが接続される。
【０００４】
一方、電池パックを装着部から取り外す場合は、操作部を操作して爪と凹部との係合を解除する。すると、コイルバネの力で電池パックが押され、電池パックは一対のガイドレールに沿って移動する。電池パックが移動すると、機器側端子と電池側端子とが離れ、電池パックを装着部から取り外すことができる。特許文献１に記載された電気装置は、コイルバネの力で電池パックを押すため、電池パックを装着部から取り外す作業を容易に行える。
【先行技術文献】
【特許文献】
【０００５】
【特許文献１】特開２００１−３５１５９２号公報
【発明の概要】
【発明が解決しようとする課題】
【０００６】
しかしながら、特許文献１に記載された電気装置は、電池パックがコイルバネの力で装着部から外れる向きで押されるため、電気機器と電池パックとの間の隙間が拡大され易く、電気機器と電池パックとの間に異物が侵入する可能性があった。
【０００７】
本発明の目的は、電池パックと電気機器との隙間を狭くすることができる電池パック及び電気装置を提供することにある。
【課題を解決するための手段】
【０００８】
一実施形態の電池パックは、電気機器に対してスライドして着脱される収容ケースを有する電池パックであって、前記電気機器に設けられた装着部と前記収容ケースとを、互いに近づける向きの力を作用させる付勢部材を有する。
【０００９】
他の実施形態の電池パックは、電気機器に対してスライドして着脱される収容ケースを有する電池パックであって、前記電気機器に設けられた装着部に前記収容ケースが装着された状態において、前記装着部と前記収容ケースとを互いに近づける向きの力を作用させる付勢部材が設けられている。
【００１０】
他の実施形態の電池パックは、電池セルを収容する収容ケースを有し、かつ、電気機器に着脱される電池パックであって、前記電気機器に設けられた装着部に係合する爪部と、前記爪部を操作する操作部とを備えたラッチ機構が、前記収容ケースに設けられており、前記装着部に前記収容ケースが装着された状態において、前記装着部と前記収容ケースとを互いに近づける向きの力を作用させる付勢部材が設けられている。
【００１１】
他の実施形態の電池パックは、電池セルを収容する収容ケースを有し、かつ、電気機器に着脱される電池パックであって、前記電気機器に設けられた装着部に係合する爪部と、前記爪部を操作する操作部とを備えたラッチ機構が、前記収容ケースに設けられており、前記装着部に前記収容ケースが装着された状態において、前記ラッチ機構を前記装着部から離れる向きで付勢する付勢部材が設けられている。
【００１２】
他の実施形態の電気装置は、上記した電池パックと、前記電池パックが着脱される電気機器と、を有する。
【００１３】
他の実施形態の電池パックは、電池セルを収容する電池パックであって、前記電池セルを収容し、かつ、電気機器に着脱される収容ケースと、前記収容ケース内に設けられ、かつ、前記収容ケースを前記電気機器に取り付ける向きで前記電気機器に押し付ける付勢部材と、を有する。
【００１４】
本発明の電気装置は、上記した電池パックと、前記電池パックが着脱される電気機器と、を有する。
【発明の効果】
【００１５】
一実施形態の電池パックによれば、電気機器と電池パックとの間の隙間を狭くすることができ、電気機器と電池パックとの間のガタツキを抑制しつつ、電気機器と電池パックとの間に異物が侵入することを抑制できる。
【図面の簡単な説明】
【００１６】
【図１】本発明の電気装置の一実施形態である電動工具の側面図である。
【図２】本発明の電池パックを示す斜視図である。
【図３】図１の電気機器の装着部を示す斜視図である。
【図４】本発明の電池パックに用いるカバーの実施の形態１を示す底面図である。
【図５】本発明の電池パックに用いるカバーの実施の形態１を示す底面図である。
【図６】本発明の電池パックに用いるカバーの実施の形態２を示す底面図である。
【図７】（Ａ）、（Ｂ）は、図６の要部を拡大して示す図である。
【図８】（Ａ）、（Ｂ）は、図６の要部を拡大して示す図である。
【図９】（Ａ）、（Ｂ）は、図６の要部を拡大して示す図である。
【図１０】本発明の電池パックに用いるカバーの実施の形態３を示す底面図である。
【図１１】本発明の電池パックに用いるカバーの実施の形態４を示す底面図である。
【図１２】本発明の電池パックに用いるカバーの実施の形態５を示す底面図である。
【図１３】本発明の電池パックに用いるカバーの実施の形態５を示す底面図である。
【図１４】本発明の電池パックに用いるカバーの実施の形態６を示す底面図である。
【図１５】本発明の電池パックに用いるカバーの実施の形態６を示す底面図である。
【図１６】図１１の要部を示す拡大図である。
【図１７】本発明の電池パックに用いるカバーの実施の形態７を示す側面図である。
【図１８】本発明の電池パックに用いるカバーの実施の形態７を示す側面図である。
【発明を実施するための形態】
【００１７】
本発明の電池パック及び電気装置の実施形態を、図面を用いて詳細に説明する。本実施形態では、電気装置の一例である電動工具１０を挙げて説明する。図１〜図３に示すように電動工具１０は、電気機器としての工具本体１１と、工具本体１１に着脱される電池パック１２とを有する。電池パック１２は、工具本体１１に取り付け及び取り外し可能である。工具本体１１は、ケーシング１３とグリップ１４と装着部１５とを備えている。ケーシング１３の内部には電動モータ１６が設けられている。
【００１８】
また、ケーシング１３は、先端工具を取り付け及び取り外しができるようになっている。先端工具は、電動モータ１６から動力が伝達されると、軸線を中心として回転運動または往復運動する。すなわち、電動工具１０は、ドリル、ドライバ、インパクトドライバ、ハンマ、ハンマドリル、ハンマドライバを含む。
【００１９】
グリップ１４の一端にケーシング１３が接続され、グリップ１４の他端に装着部１５が設けられている。グリップ１４は内部中空であり、グリップ１４の内部には電動モータ１６を制御する制御基板等が設けられている。また、図３に示すように、装着部１５には複数、例えば、３個の機器側端子１８が設けられている。複数の機器側端子１８は、導電性を備えた金属材料により構成されている。複数の機器側端子１８は板状であり、複数の機器側端子１８は、装着部１５の平坦面２０に対して直角となるように立てられている。複数の機器側端子１８は相互に平行である。複数の機器側端子１８は、図示しないケーブルを介して制御基板に電気的に接続されている。
【００２０】
装着部１５には、所定の間隔をおいて２つのガイドレール１９が設けられている。ガイドレール１９は、本発明の第１ガイド部に相当する。装着部１５を底面視すると、２つのガイドレール１９同士は平行であり、２つのガイドレール１９の間に平坦面２０が設けられている。平坦面２０に対する２つのガイドレール１９の突出方向は、装着部１５の平坦面２０に対する複数の機器側端子１８の突出方向と同じである。複数の機器側端子１８は２つのガイドレール１９同士の間に設けられている。さらに、装着部１５におけるガイドレール１９の長手方向の両端同士の間を接続する壁２１が設けられている。一方、２つのガイドレール１９の長手方向であって、壁２１とは反対側の端部に突起６９が設けられている。突起６９は、ガイドレール１９から平坦面２０の面方向に突出している。
【００２１】
電池パック１２は、装着部１５に対して取り付け及び取り外し、つまり、着脱することができる。電池パック１２の構成を図２に基づいて説明する。電池パック１２は、複数の電池セル２４と、複数の電池セル２４を収容した収容ケース２５とを有する。電池セル２４は、充電及び放電を繰り返し行うことのできる二次電池である。電池セル２４は、リチウムイオン電池セル、ニッケル水素電池セル、リチウムイオンポリマー電池セル、ニッケルカドミウム電池セル等を含む。複数の電池セル２４の電極同士は、図示しない接続板により接続されており、接続方向で端部に位置する電池セルの電極は、図示しない回路基板を介して電池側端子２６に接続されている。電池側端子２６は複数設けられている。
【００２２】
収容ケース２５は、ケース本体２３と、ケース本体２３の開口部を塞ぐカバー２７とを有する。ケース本体２３及びカバー２７は、共に非導電性の材料により、それぞれ別々に構成されている。非導電性の材料は樹脂を含む。次に、電池パック１２を装着部１５に取り付ける構造の実施の形態を順次説明する。
【００２３】
（実施の形態１）
カバー２７には、平坦なプレート部２８と、プレート部２８とは高さが異なるマウント部２９とが設けられている。マウント部２９には、端子挿入孔３０が複数設けられている。複数の端子挿入孔３０は、スリット状に形成されている。複数の端子挿入孔３０は、収容ケース２５の内部と外部とを連通している。前記複数の電池側端子２６は、複数の端子挿入孔３０に別個に挿入されている。さらに、複数の端子挿入孔３０と、プレート部２８との間には開口部１７が設けられている。開口部１７は複数の端子挿入孔３０とつながっている。
【００２４】
マウント部２９には２つのガイドレール３２が設けられている。ガイドレール３２は、ガイドレール１９に接触することで、収容ケース２５のスライド方向を規制する要素であり、ガイドレール３２は、本発明の第２ガイド部に相当する。２つのガイドレール３２は、複数の端子挿入孔３０の両側に配置されている。電池パック１２を平面視すると、２つのガイドレール３２は平行に配置されている。電池パック１２を平面視すると、２つのガイドレール３２と、複数の端子挿入孔３０の長手方向とは平行である。２つのガイドレール３２は、マウント部２９から側方に張り出しており、２つのガイドレール３２とカバー２７の表面との間にガイド溝３３がそれぞれ設けられている。電池パック１２を平面視すると、２つのガイド溝３３は平行である。ガイドレール３２及びガイド溝３３が、本発明のガイド機構に相当する。
【００２５】
さらに、カバー２７におけるプレート部２８とは反対側の端部には、マウント部２９よりも高い突出部３４が２箇所に設けられている。突出部３４を形成する壁部３５が設けられており、図４のようにカバー２７を底面視すると、壁部３５はガイド溝３３に直交して設けられている。また、カバー２７であって、２つのガイド溝３３の端部には壁３６がそれぞれ設けられており、２つの壁３６は平行である。カバー２７を底面視すると、壁３６と壁部３５とが直交して配置されており、壁３６と壁部３５とが連続されている。また、壁３６を貫通する孔３７が設けられている。
【００２６】
一方、カバー２７における突出部３４の両側には、ラッチ機構７３が取り付けられている。ラッチ機構７３は操作部３８を有している。突出部３４には孔３９が設けられており、操作部３８は孔３９に配置されている。ラッチ機構７３は、カバー２７の内部から外部に亘って配置されている。操作部３８におけるカバー２７の内部側に凹部４０が設けられている。また、ラッチ機構７３は、操作部３８からガイド溝３３に沿った方向に延ばされた腕部４１を有し、腕部４１の先端に爪部４２が設けられている。つまり、操作部３８の一部がフック形状に屈曲している。本発明のラッチ機構７３は、操作部３８及び爪部４２を含む。
【００２７】
カバー２７を底面視すると、爪部４２はガイド溝３３と直交する方向に突出されている。腕部４１はカバー２７の内部に配置されており、爪部４２は孔３７内に移動可能に挿入されている。カバー２７を底面視すると、ガイド溝３３の長手方向における爪部４２の幅は、孔３７の幅よりも小さい。爪部４２の先端はガイド溝３３に配置されている。
【００２８】
さらに、カバー２７の内面には２つのリブ４３が設けられている。２つのリブ４３は、ガイド溝３３に対して直交する方向に設けられており、２つのリブ４３が凹部４０内に配置されている。また、カバー２７の内面には、２つのリブ４３の間に配置したリブ４４を有する。カバー２７を底面視すると、２つのリブ４３と凹部４０の内面との間に隙間がある。このため、ラッチ機構７３は、カバー２７を底面視すると、ガイド溝３３に対して直交する方向に往復動作することが可能である。また、ラッチ機構７３は、カバー２７を底面視すると、孔３７と爪部４２との間の隙間量、２つのリブ４３と凹部４０の内面との間の隙間量に応じて、ガイド溝３３の長手方向に沿って、カバー２７に対して移動可能である。
【００２９】
また、凹部４０には圧縮コイルバネ４５が設けられている。圧縮コイルバネ４５は金属材料により一体成形されており、ラッチ機構７３は圧縮コイルばね４５の力でカバー２７の外部に向けて押されている。カバー２７の内面にはストッパ４６が設けられている。また、操作部３８には突起４７が設けられている。ラッチ機構７３は圧縮コイルばね４５に押されて、突起４７がストッパ４６に接触し、かつ、腕部４１が壁３６に接触して、ラッチ機構７３が停止する。
【００３０】
さらに、カバー２７を底面視すると、壁部３５と操作部３８との間に、付勢部材としての弾性体４８が介在されている。弾性体４８は例えばゴムにより一体成形されており、弾性体４８は、壁部３５または操作部３８に固定されている。弾性体４８は、接着剤、両面テープ、二層成形等により、壁部３５または操作部３８に接合されている。
【００３１】
ラッチ機構７３がカバー２７に取り付けられた状態で、弾性体４８は操作部３８及び壁部３５に挟まれており、ガイド溝３３の長手方向に圧縮されている。このため、ラッチ機構７３は、カバー２７を底面視すると、弾性体４８の弾性復元力によりガイド溝３３の長手方向に押される。具体的に説明すると、ラッチ機構７３は端子挿入孔３０から離れる向きで弾性体４８により押されている。つまり、カバー２７を底面視すると、ラッチ機構７３は、ガイド溝３３の長手方向で、爪部４２と壁部３５との間隔が狭められる向きに押されている。
【００３２】
なお、図４及び図５においては、カバー２７に設けられた２つのガイド溝３３のうち、片方のガイド溝３３に対応して、壁３６、壁部３５、操作部３８、リブ４３，４４、圧縮コイルバネ４５、弾性体４８、孔３９、突起４７、ストッパ４６等の構造を説明しているが、これらの要素及び構造は、他方のガイド溝３３及び操作部３８等についても、左右対称に同じ構造が設けられている。
【００３３】
次に、電池パック１２を、工具本体１１の装着部１５に取り付ける、つまり、装着する作業を説明する。まず、電池パック１２が図１に二点鎖線で示すように工具本体１１に取り付けられていない場合は、圧縮コイルバネ４５の力でラッチ機構７３が押されて、突起４７がストッパ４６に接触し、かつ、腕部４１が壁３６に接触している。
【００３４】
そして、工具本体１１と電池パック１２とを近づけると、突起６９がガイド溝３３へ進入する。すなわち、ガイドレール１９とガイドレール３２とが接触することで、工具本体１１と電池パック１２との相対移動方向、つまり、スライド方向が規制される。次いで、図４のように突起６９が爪部４２に近づき、爪部４２が突起６９に乗り上げると、ラッチ機構７３は、圧縮コイルバネ４５の力に抗してカバー２７の内部に向けて移動する。このため、突起４７はストッパ４６から離れ、かつ、腕部４１は壁３６から離れる。
【００３５】
さらに、電池パック１２が装着部１５に近づけられて、図５のようにガイドレール１９の先端が、カバー２７の壁部３５に接触するとともに、爪部４２が突起６９を乗り越えると、ラッチ機構７３は圧縮コイルバネ４５の力でカバー２７の外部に向けて移動する。その結果、爪部４２と突起６９とが係合する。また、突起４７がストッパ４６に接触し、かつ、腕部４１が壁３６に接触し、ラッチ機構７３が停止する。さらに、電池パック１２を装着部１５に取り付ける際に、機器側端子１８は端子挿入孔３０に進入し、機器側端子１８は電池側端子２６と接続される。
【００３６】
このようにして、電池パック１２がスライドされて装着部１５に取り付けられると、図５のように爪部４２と突起６９とが係合して、図１のように電池パック１２が装着部１５に取り付けられた状態が保たれる。また、ラッチ機構７３は、弾性体４８の力でガイド溝３３の長手方向に沿って、装着部１５から離れる向きに押されている。このため、爪部４２がガイド溝３３に進入した状態、つまり、爪部４２が突起６９と係合した状態で、突起６９は、弾性体４８の力で爪部４２と壁部３５とにより挟み付けられている。
【００３７】
つまり、ガイドレール１９の先端と、カバー２７の壁部３５との間の隙間が狭められている。より具体的には、電池パック１２を装着部１５に取り付ける向き、つまり、取り付け方向において電池パック１２と装着部１５が近づく向きで、壁部３５がガイドレール１９の先端に押し付けられている。このため、電池パック１２と装着部１５とが、ガイドレール１９の長手方向に相対移動すること、すなわち、ガタつくことを防止できる。したがって、装着部１５と電池パック１２との間に、外部の異物、例えば、ゴミ、埃、砂等が侵入することを抑制できる。
【００３８】
なお、電池パック１２を装着部１５から取り外す場合は、作業者が操作部３８を押し、ラッチ機構７３を圧縮コイルバネ４５の力に抗して移動させる。すると、爪部４２と突起６９との係合が解除され、電池パック１２と装着部１５とを、ガイドレール１９，３２に沿って離れさせる向きでスライドさせると、電池パック１２を装着部１５から取り外すことができる。
【００３９】
（実施の形態２）
図１及び図２に示す電池パック１２に用いるカバー２７の実施の形態２を、図６に基づいて説明する。図６のカバー２７において、図４及び図５のカバー２７と同じ構造部分については、図４及び図５と同じ符号を付してある。図６のカバー２７においては、カバー２７の内面において、リブ４３と端子挿入孔３０との間にリブ４９が設けられている。リブ４９はリブ４３と平行である。
【００４０】
一方、操作部３８にリブ５０が設けられている。リブ５０は、ガイド溝３３の長手方向でリブ４３とリブ４９との間に設けられている。そして、リブ４９とリブ５０との間に、付勢部材としての弾性体５１が介在されている。弾性体５１は、リブ４９またはリブ５０のいずれか一方に固定されており、弾性体５１はゴム等により一体成形されている。また、ラッチ機構７３がカバー２７に取り付けられた状態で、弾性体５１はリブ４９及びリブ５０により圧縮されて弾性変形している。このため、弾性体５１は、カバー２７を底面視すると、ラッチ機構７３をガイドレール１９、３２の長手方向に沿って装着部１５から離れる向きで押している。具体的に説明すると、ラッチ機構７３は、爪部４２と壁部３５との間隔が狭められる向きで、弾性体５１の力で押されている。
【００４１】
次に、図６のカバー２７を有する電池パック１２を、工具本体１１の装着部１５に取り付ける作業を説明する。まず、電池パック１２が図１に二点鎖線で示すように工具本体１１に取り付けられていない場合は、圧縮コイルバネ４５の力でラッチ機構７３が押されて、突起４７がストッパ４６に接触し、かつ、腕部４１が壁３６に接触している。
【００４２】
そして、工具本体１１と電池パック１２とを近づけると、図７（Ａ）のように、突起６９がガイド溝３３へ進入する。すなわち、ガイドレール１９とガイドレール３２とにより、工具本体１１と電池パック１２との相対移動方向が規制される。次いで、図７（Ｂ）のように突起６９が爪部４２に接触すると、爪部４２が突起６９に押されるため、ラッチ機構７３が圧縮コイルバネ４５の力に抗して移動する。すると、図８（Ａ）のように、爪部４２が突起６９に乗り上げ始め、電池パック１２の移動が継続されて、図８（Ｂ）のように、爪部４２が突起６９の先端に完全に乗り上げる。
【００４３】
さらに、電池パック１２が装着部１５に近づけられると、図９（Ａ）のように爪部４２が突起６９の先端を乗り越えるため、ラッチ機構７３は圧縮コイルバネ４５の力で壁３６に向けて移動する。そして、図９（Ｂ）のように突起４７がストッパ４６に接触し、かつ、腕部４１が壁３６に接触し、ラッチ機構７３が停止すると、爪部４２と突起６９とが係合した状態となる。
【００４４】
このようにして、電池パック１２が装着部１５に取り付けられると、図６のように爪部４２と突起６９とが係合して、図１のように電池パック１２が装着部１５に取り付けられた状態が保たれる。また、ラッチ機構７３は弾性体５１の力でガイド溝３３の長手方向に押されている。このため、爪部４２がガイド溝３３に進入した状態、つまり、爪部４２が突起６９と係合した状態で、突起６９は、弾性体５１の力で爪部４２と壁部３５とにより挟み付けられる。したがって、電池パック１２が装着部１５から外れることを防止できる。
【００４５】
また、ラッチ機構７３は弾性体５１の力でガイド溝３３の長手方向に沿って、装着部１５から離れる向きに押されている。このため、突起６９は、弾性体５１の力で爪部４２と壁部３５とにより挟み付けられている。したがって、前述と同様の作用により、電池パック１２と装着部１５との間のガタツキを抑制し、かつ、装着部１５と電池パック１２との間に外部の異物が侵入することを抑制できる。なお、装着部１５に取り付けられている電池パック１２を、装着部１５から取り外す場合に行う作業は、前述した作業と同じである。
【００４６】
（実施の形態３）
図１及び図２に示す電池パック１２に用いるカバー２７の実施の形態３を、図１０に基づいて説明する。図１０のカバー２７において、図４及び図５のカバー２７と同じ構造部分については、図４及び図５と同じ符号を付してある。図１０のカバー２７においては、２つのリブ４３のうち、ガイド溝３３から遠い位置に設けられているリブ４３と、凹部４０の内面との間に、付勢部材としての弾性体５２が介在されている。弾性体５２は、リブ４３または凹部４０の内面のいずれか一方に固定されており、弾性体５２はゴム等により一体成形されている。
【００４７】
また、ラッチ機構７３がカバー２７に取り付けられた状態で、弾性体５２はリブ４３及び凹部４０の内面により圧縮されて弾性変形している。このため、弾性体５２は、カバー２７を底面視すると、ラッチ機構７３をガイドレール１９、３２の長手方向に沿って装着部１５から離れる向きで押している。具体的に説明すると、ラッチ機構７３は、爪部４２と壁部３５との間隔が狭められる向きで、弾性体５２の力で押されている。
【００４８】
図１０のカバー２７を有する電池パック１２を、工具本体１１の装着部１５に取り付ける場合に生じる作用は、図４及び図５のカバー２７を有する電池パック１２を、工具本体１１の装着部１５に取り付ける場合の作用と同じである。
【００４９】
このようにして、電池パック１２を装着部１５に取り付けると、図１０のように爪部４２と突起６９とが係合するため、電池パック１２が装着部１５から外れることを防止できる。また、ラッチ機構７３は弾性体５２の力でガイド溝３３の長手方向に押されている。このため、爪部４２がガイド溝３３に進入した状態で、突起６９は、弾性体５２の力で爪部４２と壁部３５とにより挟み付けられる。したがって、カバー２７の実施の形態１と同様の作用により、電池パック１２と装着部１５との間のガタツキを抑制し、かつ、装着部１５と電池パック１２との間に外部の異物が侵入することを抑制できる。
【００５０】
なお、装着部１５に取り付けられている電池パック１２を、装着部１５から取り外す場合に行う作業は、カバー２７の実施の形態１で説明した作業と同じである。
【００５１】
（実施の形態４）
図１及び図２に示す電池パック１２に用いるカバー２７の実施の形態４を、図１１に基づいて説明する。図１１のカバー２７において、図４及び図５のカバー２７と同じ構造部分については、図４及び図５と同じ符号を付してある。図１１のカバー２７を底面視すると、凹部４０の底面５３は、ガイド溝３３に沿った方向の直線に対して交差、即ち、傾斜している。具体的に説明すると、底面５３は、ガイド溝３３に近づくことに伴い、リブ４４との間隔が広くなる向きで傾斜している。その底面５３に圧縮コイルバネ４５の端部が接触している。図１１に示すカバー２７は、前述した弾性体４８，５１，５２に対応する要素が設けられていない。
【００５２】
ラッチ機構７３がカバー２７に取り付けられた状態で、圧縮コイルバネ４５は操作部３８をリブ４３に沿った方向に押している。また、圧縮コイルバネ４５は凹部４０の底面５３に接触している。このため、ラッチ機構７３には、リブ４３の長手方向の力の他、リブ４３の長手方向に対して交差する向きの分力が加わる。ラッチ機構７３は、前記分力によりガイド溝３３の長手方向に押され、爪部４２と壁部３５との間隔が狭められる。
【００５３】
図１１のカバー２７を有する電池パック１２を、工具本体１１の装着部１５に取り付ける場合に生じる作用は、図４及び図５のカバー２７を有する電池パック１２を、工具本体１１の装着部１５に取り付ける場合の作用と同じである。
【００５４】
このようにして、電池パック１２を装着部１５に取り付けると、図１１のように爪部４２と突起６９とが係合するため、電池パック１２が装着部１５から外れることを防止できる。また、ラッチ機構７３は圧縮コイルバネ４５の力でガイド溝３３の長手方向に押され、突起６９は、弾性体５２の力で爪部４２と壁部３５とにより挟み付けられる。したがって、カバー２７の実施の形態１と同様の作用により、電池パック１２と装着部１５との間のガタツキを抑制し、かつ、装着部１５と電池パック１２との間に外部の異物が侵入することを抑制できる。
【００５５】
また、カバー２７の実施の形態４においては、圧縮コイルバネ４５が、ラッチ機構７３をガイドレール１９、３２に直交する方向に押す機能と、ラッチ機構７３をガイド溝レール１９，３２の長手方向に押す機能とを兼備している。このため、ラッチ機構７３をガイドレール１９、３２の長手方向に押す弾性体を専用で設けずに済む。したがって、カバー２７の部品点数が増加することを防止できる。この実施の形態４では、圧縮コイルバネ４５が付勢部材に相当する。
【００５６】
なお、装着部１５に取り付けられている電池パック１２を、装着部１５から取り外す場合に行う作業は、カバー２７の実施の形態１で説明した作業と同じである。
【００５７】
（実施の形態５）
図１及び図２に示す電池パック１２に用いるカバー２７の実施の形態５を、図１２及び図１３に基づいて説明する。図１２及び図１３のカバー２７において、図１１のカバー２７と同じ構造部分については、図１１と同じ符号を付してある。図１２及び図１３のカバー２７は、カバー２７を底面視すると、２つのリブ４３がガイド溝３３に対して直交しない方向に延ばされている。具体的に説明すると、２つのリブ４３は、孔３９から遠ざかるほど、端子挿入孔３０に近づく向きで傾斜している。
【００５８】
リブ４４は２つのリブ４３に対して直交して設けられている。リブ４４は、凹部４０の底面５３と平行である。また、凹部４０の内面は２つのリブ４３と平行に延ばされている。また、壁部３５のうち、操作部３８に近い箇所の表面は、リブ４３と平行になっている。また、操作部３８の表面のうち、壁部３５に接触する部分は、リブ４３と平行に延ばされている。図９及び図１０のカバー２７に取り付けられたラッチ機構７３は、２つのリブ４３と平行に移動可能である。図１２及び図１３に示すカバー２７は、前述した弾性体４８，５１，５２に対応する要素が設けられていない。
【００５９】
操作部３８がカバー２７に取り付けられた状態で、圧縮コイルばね４５はラッチ機構７３をカバー２７の外部に向けて押している。また、圧縮コイルバネ４５は凹部４０の底面５３に接触している。このため、ラッチ機構７３には、リブ４３の長手方向の力が加わり、その力の分力で、ラッチ機構７３はガイド溝３３の長手方向に押され、爪部４２と壁部３５との間隔が狭められている。
【００６０】
図１２及び図１３のカバー２７を有する電池パック１２を、工具本体１１の装着部１５に取り付ける場合に生じる作用は、図４及び図５のカバー２７を有する電池パック１２を、工具本体１１の装着部１５に取り付ける場合の作用と同じである。
【００６１】
このようにして、電池パック１２を装着部１５に取り付けると、図１２のように爪部４２が凹部２２に挿入され爪部４２と突起６９とが係合するため、電池パック１２が装着部１５から外れることを防止できる。また、ラッチ機構７３は圧縮コイルバネ４５の力でガイド溝３３の長手方向に押され、突起６９は、弾性体５２の力で爪部４２と壁部３５とにより挟み付けられる。したがって、カバー２７の実施の形態１と同様の作用により、電池パック１２と装着部１５との間のガタツキを抑制し、かつ、装着部１５と電池パック１２との間に外部の異物が侵入することを抑制できる。
【００６２】
また、カバー２７の実施の形態５においては、圧縮コイルバネ４５が、ラッチ機構７３をカバー２７の外部に向けて押す機能と、ラッチ機構７３をガイドレール１９、３２の長手方向に押す機能とを兼備している。このため、ラッチ機構７３をガイドレール１９、３２の長手方向に押す弾性体を専用で設けずに済む。したがって、カバー２７の部品点数が増加することを防止できる。この実施の形態５では、圧縮コイルばね４５が付勢部材に相当する。
【００６３】
なお、装着部１５に取り付けられている電池パック１２を、装着部１５から取り外す場合に行う作業は、操作部３８を押すと、ラッチ機構７３が２つのリブ４３に沿って移動し、図１３のように爪部４２と突起６９との係合が解除される。
【００６４】
（実施の形態６）
図１及び図２に示す電池パック１２に用いるカバー２７の実施の形態６を、図１４〜図１６に基づいて説明する。図１４〜図１６のカバー２７において、図４のカバー２７と同じ構造部分については、図４と同じ符号を付してある。図１４及び図１５のカバー２７には２つの操作部５４が取り付けられている。カバー２７を底面視すると、２つの操作部５４は、支持軸５５を中心としてそれぞれ所定角度の範囲内で回動可能である。操作部５４には取付け孔５６が設けられており、取付け孔５６に支持軸５５が配置されている。取付け孔５６は、ガイド溝３３に沿った方向が長軸となる長孔であり、操作部５４は、取付け孔５６の長軸方向に移動可能である。また、支持軸５５にはねじりコイルバネ５７が取り付けられており、ねじりコイルバネ５７の力が操作部５４に加わっている。
【００６５】
２つの操作部５４には、爪部５８がそれぞれ設けられている。２つの爪部５８は互いに向き合うように突出している。本発明のラッチ機構７３は、操作部５４及び爪部５８を含む。また、ねじりコイルバネ５７の力で回動する操作部５４は、その一部がカバー２７に接触して停止する。さらに、カバー２７の内面には受け部６０が設けられている。受け部６０は、爪部５８と支持軸５５との間に設けられている。受け部６０は、カバー２７の内面から、支持軸５５の長さ方向に突出している。また、取付け孔５６内に、付勢部材としての弾性体６１が設けられている。弾性体６１はゴムにより一体成形されており、弾性体６１は、取付け孔５６の内面と支持軸５５の表面とに接触して圧縮されて、弾性変形している。弾性体６１は、ラッチ機構７３をガイドレール１９、３２の長手方向に沿って装着部１５から離れる向きに押す力を生じる。具体的には、ラッチ機構７３は、爪部５８が受け部６０に近づく向きで押されている。
【００６６】
図１５のカバー２７を有する電池パック１２を装着部１５に取り付ける作業を説明する。電池パック１２を装着部１５に近づけると、突起６９が爪部５８に接触し、突起６９から操作部５４に力が加えられる。すると、ラッチ機構７３は、ねじりコイルバネ５７の力に抗して支持軸５５を中心として回動し、爪部５８は突起６９に乗り上げる。その後、図１５のように、爪部５８が突起６９を乗り越えると、操作部５４はねじりコイルばね５７の力で回動し、操作部５４の一部がカバー２７に接触して、カバー２７が停止する。
【００６７】
また、弾性体６１のラッチ機構７３がガイド溝３３の長手方向に沿って装着部１５から離れる向きで押されるため、突起６９は爪部５８と受け部６０との間に挟まれる。このため、受け部６０は、電池パック１２を装着部１５に取り付ける向きで、ガイドレール１９の先端に押し付けられている。つまり、ガイド溝３３の長手方向で、突起６９と受け部６０との間の隙間が狭くなる。したがって、電池パック１２が装着部１５に取り付けられた状態で、電池パック１２と装着部１５とが、ガイド溝３３の長手方向に相対移動することを防止できる。上記のように、実施の形態６のカバー２７を有する電池パック１２においても、実施の形態１の電池パック１２と同様の効果を得ることができる。
【００６８】
なお、図１５のカバー２７を有する電池パック１２を、装着部１５から取り外す場合は、操作部５４をねじりコイルバネ５７の力に抗して回動させ、爪部５８と突起６９との係合を解除する。そして、電池パック１２が装着部１５から離れる向きで、電池パック１２と装着部１５とを相対移動させる。
【００６９】
（実施の形態７）
図１及び図２に示す電池パック１２に用いるカバー２７の実施の形態７を、図１７及び図１８に基づいて説明する。図１７及び図１８の装着部１５及びカバー２７において、図３の装着部１５、図４のカバー２７と同じ構造部分については、図３及び図４と同じ符号を付してある。図１７及び図１８の装着部１５は、ガイドレール１９の長手方向で、壁２１とは反対側の端部に突起６２を有する。突起６２は、ガイドレール１９の長手方向に対して交差する向きで突出している。
【００７０】
一方、カバー２７には操作部６３が取り付けられている。操作部６３は、カバー２７の突出部３４に設けられている。突出部３４の上面に開口する挿入孔６４が設けられており、カバー２７の一部を切り欠いた取付け孔６５が設けられている。操作部６３は取付け孔６５内に配置されている。操作部６３は図１７及び図１８で上下方向に移動可能である。操作部６３には爪部６６が設けられており、爪部６６は上方に向けて突出している。爪部６６は挿入孔６４に配置されている。本発明のラッチ機構７３は、操作部６３及び爪部６６を含む。
【００７１】
また、収容ケース２５の内部にはバネ６７が設けられており、操作部６３はバネ６７の力により上方に向けて押されている。収容ケース２５の内部には、電池セル２４を保持したホルダ７２が設けられており、ホルダ７２と操作部６３との間にバネ６７が介在されている。バネ６７は金属製の圧縮バネである。バネ６７により押された操作部６３は、取付け孔６５の内面に接触して停止している。
【００７２】
さらに、カバー２７には、付勢部材としての弾性体６８が取り付けられている。弾性体６８はゴムにより一体成形されている。この弾性体６８は、操作部６３とカバー２７との間で圧縮されて弾性変形しており、弾性体６８は、ラッチ機構７３をガイドレール１９、３２の長手方向に沿って、装着部１５から離れる向きで押す力を生じる。
【００７３】
図１７及び図１８のカバー２７を有する電池パック１２を装着部１５に取り付ける作業を説明する。電池パック１２を装着部１５に近づけて、突起６９をガイド溝３３に沿って移動させる。すると、突起６２が爪部６６に接触し、操作部６３はバネ６７の力に抗してケース本体２３に近づく向きで移動する。このため、爪部６６は突起６２に乗り上げる。その後、爪部６６が突起６２を乗り越えると、操作部６３はバネ６７の力でケース本体２３から離れる向きで移動し、操作部６３が取付け孔６５の内面に接触して操作部６３が停止する。また、突出部３４に連続する傾斜面７０と、装着部１５に形成された傾斜面７１とが接触し、電池パック１２を装着部１５に取り付ける作業が完了する。
【００７４】
このように、電池パック１２が装着部１５に取り付けられると、爪部６６が突起６２に係止しており、弾性体６８の力がラッチ機構７３を経由して装着部１５に伝達される。このため、ガイドレール３２の長手方向で、電池パック１２を装着部１５に取り付ける向きで、傾斜面７０が傾斜面７１に押し付けられ、傾斜面７０と傾斜面７１との間の隙間量を少なくすることができる。したがって、電池パック１２と装着部１５とが、ガイドレール３２の長手方向に相対移動すること、すなわち、ガタつくことを防止できる。上記のように、実施の形態７のカバー２７を有する電池パック１２においても、実施の形態１の電池パック１２と同様の効果を得ることができる。
【００７５】
なお、図１８において、電池パック１２を装着部１５から取り外す場合は、操作部６３を押して、操作部６３をバネ６７の力に抗してケース本体２３に近づく向きで移動させ、爪部６６と突起６２との係合を解除する。そして、電池パック１２が装着部１５から離れる向きで、電池パック１２と装着部１５とを相対移動させる。
【００７６】
本発明は上記した実施の形態１〜実施の形態７に限定されるものではなく、その要旨を逸脱しない範囲で種々変更可能である。例えば、本発明の電気装置は、前述した電動工具の他、グラインダ、サンダ、釘打ち機、ねじ打ち機、タッカ、集塵機、送風機、ポンプ、高圧洗浄機、チェンソー、草刈機、植木用バリカン、耕耘機等を含む。すなわち、本発明の電気機器は、電池パックの電力で電動モータを回転させ、その回転運動を動作部材の往復運動または回転運動の少なくとも一方に変換する機器を含む。
【００７７】
また、本発明の電気装置は、トーチライト等を含む。すなわち、本発明の電気装置は、電池パックから供給される電気エネルギを光エネルギに変換する照明装置を含む。また、本発明における第１ガイド部及び第２ガイド部は、互いに接触するガイドレール同士、ガイドレール及びガイド溝の組み合わせを含む。
【００７８】
さらに、本明細書において、直角、平行、直交とは、各要素の加工精度、組み付け誤差等により完全に直角、完全に平行、完全に直交となっていないものも含む趣旨である。すなわち、厳密には、各要素同士が、略直角な状態、略平行な状態、略直交する状態を含む。
【符号の説明】
【００７９】
１０…電動工具、１１…工具本体、１２…電池パック、１８…機器側端子、２４…電池セル、２５…収容ケース、２６…電池側端子、３２…ガイドレール、３３…ガイド溝、３８，５４，６３…操作部、４２，５８，６６…爪部、４５…圧縮コイルバネ、４８，５１，５２，６１，６８…弾性体、６２，６９…突起、７３…ラッチ機構。
【図１】
2014216284.tif 000003
【図２】
2014216284.tif 000004
【図３】
2014216284.tif 000005
【図４】
2014216284.tif 000006
【図５】
2014216284.tif 000007
【図６】
2014216284.tif 000008
【図７】
2014216284.tif 000009
【図８】
2014216284.tif 000010
【図９】
2014216284.tif 000011
【図１０】
2014216284.tif 000012
【図１１】
2014216284.tif 000013
【図１２】
2014216284.tif 000014
【図１３】
2014216284.tif 000015
【図１４】
2014216284.tif 000016
【図１５】
2014216284.tif 000017
【図１６】
2014216284.tif 000018
【図１７】
2014216284.tif 000019
【図１８】
2014216284.tif 000020